(57)【要約】【課題】共同受信システムにおいて、右旋偏波および左旋偏波により多重化された放送電波を受信し、これを１本のＩＦ信号ケーブルで各端末装置に分配する。【解決手段】右旋偏波および左旋偏波を、ローノイズコンバータ５２および５３により、それぞれ異なる周波数のＩＦ信号に変換した後、混合器５４により混合する。更に、混合器５６により、この信号に地上波テレビ放送信号を混合し、１本のＩＦ信号ケーブルにより各端末装置２に分配する。端末装置２では、分波器５９により、地上波テレビ放送信号を分離し、レシーバ６１へ供給する。選択回路６０は、レシーバ６１から供給される偏波切り換え信号に基づき、右旋偏波成分および左旋偏波成分を選択し、必要に応じて周波数変換を行った後、レシーバ６１へ供給する。【選択図】図１
2006148963.tif 000002
【特許請求の範囲】
【請求項１】
周波数で多重化され、且つ、偏波面で多重化された複数の放送電波を受信する第１の受信装置と、前記第１の受信装置により受信された前記複数の放送電波から所定の放送電波を選択する選択装置からなる受信システムにおいて、
前記第１の受信装置は、
前記複数の放送電波を受信する受信手段と、
前記受信手段により受信された前記複数の放送電波から、偏波面が異なる放送電波を互いに分離する分離手段と、
前記分離手段により分離されたそれぞれ偏波面が異なる複数の放送電波を、それぞれの偏波面について周波数で多重化された状態を維持したままで、それぞれ周波数帯が互いに重ならない、一方の偏波面に対応する第１群のＩＦ信号と他方の偏波面に対応する第２群のＩＦ信号に変換する第１の周波数変換手段と、
前記第１の周波数変換手段により周波数変換された前記第１群のＩＦ信号と前記第２群のＩＦ信号を共通のケーブルを介して前記選択装置に出力する出力手段と
を備え、
前記選択装置は、
前記ケーブルを介して供給される前記第１群のＩＦ信号と前記第２群のＩＦ信号を入力する入力手段と、
第２の受信装置から供給される偏波切り換え信号に基づいて、前記入力手段により入力された前記第１群のＩＦ信号と前記第２群のＩＦ信号のいずれか一方を選択し、選択した一方のＩＦ信号を他方のＩＦ信号の周波数帯域と重なり合うように周波数変換して、前記第２の受信装置に供給するか、または前記偏波切り換え信号に基づいて、前記入力手段により入力された前記第１群のＩＦ信号と前記第２群のＩＦ信号のいずれか一方を選択し、選択した一方のＩＦ信号を第２の受信装置にそのまま供給する第１の選択手段と
を備える受信システム。
【請求項２】
前記第１の選択手段は、
前記第１群のＩＦ信号または前記第２群のＩＦ信号を、前記第１群のＩＦ信号の周波数帯と前記第２群のＩＦ信号の周波数帯とが重なり合うように周波数変換する第２の周波数変換手段と、
第２の受信装置から供給される偏波切り換え信号に基づいて、前記入力手段により入力された前記第１群のＩＦ信号と前記第２群のＩＦ信号のいずれか一方を選択して前記第２の周波数変換手段に供給するとともに周波数変換されたそのＩＦ信号を前記第２の受信装置に供給するか、または前記偏波切り換え信号に基づいて、前記入力手段により入力された前記第１群のＩＦ信号と前記第２群のＩＦ信号のいずれか一方を選択して第２の受信装置にそのまま供給する第２の選択手段と
を備える請求項１に記載の受信システム。
【発明の詳細な説明】
【技術分野】
【０００１】
本発明は、受信システムに関し、特に、多重化された放送電波を受信し、これを、多数の端末装置に分配する受信システムに関する。
【背景技術】
【０００２】
放送衛星を介して伝送される放送電波の情報量をより増加させるために、例えば、放送電波の左旋偏波と右旋偏波、あるいは、垂直偏波と水平偏波を多重化する方法がある。
【０００３】
この方法で伝送された放送電波を受信するためには、従来の受信装置（多重化されていない電波を受信する装置）に対して、左旋偏波および右旋偏波を分離するための分離装置を新たに追加する必要があった。
【０００４】
特に、集合住宅等における共同受信システム（共同受信装置および各視聴者の端末装置からなる）においては、受信した放送電波を分配する端末装置の数が多いため、前述の多重化された放送電波を受信できるようにするためには、多くの分離装置を追加する必要があった。
【０００５】
そこで、従来の共同受信システムに最小限の分離装置を追加することによって、多重化されている放送電波を受信できるようにするための工夫が種々なされている。
【０００６】
図８は、従来の共同受信システムの構成例を示すブロック図である。この図において、パラボラアンテナ１１は、図示しない放送衛星から送信されて来る、右旋偏波および左旋偏波（または垂直偏波および水平偏波）により多重化されたＲＦ(Radio Frequency)帯域の電波を受信するようになされている。ローノイズブロック(Low Noise Block)(LNB)コンバータ１２は、パラボラアンテナ１１により受信されたＲＦ帯域の電波から、左旋偏波および右旋偏波を分離し、これらをＩＦ(Intermediate Frequency)帯域の信号（以下、ＩＦ信号という）に変換し、分配器１３ａおよび１３ｂに供給するようになされている。
【０００７】
分配器１３ａと１３ｂは、左旋偏波のＩＦ信号と右旋偏波のＩＦ信号を、マルチスイッチ１４ａと１４ｂに、それぞれ分配するようになされている。マルチスイッチ１４ａと１４ｂは、各受信者の端末装置（レシーバ１５ａ乃至１５ｄおよびテレビジョン受像機１６ａ乃至１６ｄより構成される）から供給されている偏波切り換え信号に基づき、左旋偏波のＩＦ信号または右旋偏波のＩＦ信号のいずれかを選択し、各端末装置へ供給するようになされている。
【０００８】
レシーバ１５ａ乃至１５ｄは、視聴者の操作に基づき、マルチスイッチ１４ａもしくは１４ｂに対して偏波切り換え信号を出力し、その結果選択される右旋偏波のＩＦ信号もしくは左旋偏波のＩＦ信号を入力し、これを更に低い周波数のＲＦ信号に変換する処理を施した後、テレビジョン受像機１６ａ乃至１６ｄに供給するようになされている。テレビジョン受像機１６ａ乃至１６ｄは、レシーバ１５ａ乃至１５ｄから供給される信号から映像および音声信号を抽出し、これらを表示出力するようになされている。
【０００９】
次に、以上の従来例の動作について説明する。
【００１０】
図示しない放送衛星から送信されて来る多重化された放送電波は、パラボラアンテナ１１により受信される。ＬＮＢコンバータ１２は、受信した放送電波から左旋偏波の電波と右旋偏波の電波を分離し、ＩＦ信号に変換した後、分配器１３ａと１３ｂにそれぞれ供給する。分配器１３ａと１３ｂは、左旋偏波のＩＦ信号と右旋偏波のＩＦ信号をマルチスイッチ１４ａと１４ｂにそれぞれ分配する。
【００１１】
マルチスイッチ１４ａおよび１４ｂは、レシーバ１５ａ乃至１５ｄより供給される偏波切り換え信号に基づき、左旋偏波のＩＦ信号および右旋偏波のＩＦ信号のうち一方を選択し、レシーバ１５ａ乃至１５ｄに供給する。
【００１２】
以上の構成によれば、各視聴者が、左旋偏波および右旋偏波の何れかを所定の操作により指定することで、マルチスイッチ１４ａもしくは１４ｂがこれらの信号のいずれかを自動的に選択し、所望の放送（番組）を視聴することが可能となる。
【００１３】
図９は、従来の共同受信システムの他の構成例を示すブロック図である。この図において、図８における場合と同一の部分には同一の符号を付してあるので、説明を適宜省略する。
【００１４】
レシーバ２１ａ乃至２１ｄは、分配器１３ａおよび１３ｂから供給される左旋偏波および右旋偏波のＩＦ信号を別々のＩＦ信号ケーブルにより入力し、これを内蔵されたスイッチ（図示しない）により選択する。そして、選択したＩＦ信号を更に低い周波数のＲＦ信号に変換する処理を施した後、テレビジョン受像機１６ａ乃至１６ｄに出力するようになされている。
【００１５】
なお、その他の構成は図８における場合と同様である。
【００１６】
次に、図９に示す従来例の動作について説明する。
【００１７】
パラボラアンテナ１１は、図示しない放送衛星から送信されたＲＦ帯域の電波を受信する。ＬＮＢコンバータ１２は、受信した電波から左旋偏波および右旋偏波の電波を分離し、ＩＦ信号に変換した後、分配器１３ａおよび１３ｂにそれぞれ供給する。
【００１８】
分配器１３ａおよび１３ｂは、入力された左旋偏波および右旋偏波に対応するＩＦ信号を別々のケーブルにより、各レシーバ２１ａ乃至２１ｄに分配供給する。レシーバ２１ａ乃至２１ｄは、分配器１３ａもしくは１３ｂから供給される左旋偏波および右旋偏波に対応するＩＦ信号のうちの一方を選択し、ＩＦ信号を更に低い周波数のＲＦ信号に変換する処理を施した後、テレビジョン受像機１６ａ乃至１６ｄへ出力する。
【００１９】
以上の構成によれば、各視聴者がレシーバ２１ａ乃至２１ｄを操作することにより、左旋偏波あるいは右旋偏波に含まれる所望の番組を選択し、視聴することが可能となる。
【発明の開示】
【発明が解決しようとする課題】
【００２０】
図８に示す例においては、右旋偏波と左旋偏波用のＩＦ信号を室外から室内に取り込むのに２本のケーブルが必要になる。また、マルチスイッチ１４ａおよび１４ｂの分配数はある程度限られているため、大規模な共同受信設備には使用できないという課題もあった。更に、マルチスイッチ１４ａおよび１４ｂは高価であるため、設備が割高になるという課題もあった。
【００２１】
図９に示す例においては、分配器１３ａおよび１３ｂから各レシーバにＩＦ信号を供給するケーブルが各端末装置に対して２本必要となることから、ケーブルを新たに敷設しなければならず、その結果、新たなコストが生じるという課題があった。
【００２２】
本発明は、以上のような状況に鑑みてなされたものであり、多重化された衛星放送を簡単な設備で受信できるようにするものである。
【課題を解決するための手段】
【００２３】
本発明の一側面の受信システムは、周波数で多重化され、且つ、偏波面で多重化された複数の放送電波を受信する第１の受信装置と、前記第１の受信装置により受信された前記複数の放送電波から所定の放送電波を選択する選択装置からなる受信システムにおいて、前記第１の受信装置は、前記複数の放送電波を受信する受信手段と、前記受信手段により受信された前記複数の放送電波から、偏波面が異なる放送電波を互いに分離する分離手段と、前記分離手段により分離されたそれぞれ偏波面が異なる複数の放送電波を、それぞれの偏波面について周波数で多重化された状態を維持したままで、それぞれ周波数帯が互いに重ならない、一方の偏波面に対応する第１群のＩＦ信号と他方の偏波面に対応する第２群のＩＦ信号に変換する第１の周波数変換手段と、前記第１の周波数変換手段により周波数変換された前記第１群のＩＦ信号と前記第２群のＩＦ信号を共通のケーブルを介して前記選択装置に出力する出力手段とを備え、前記選択装置は、前記ケーブルを介して供給される前記第１群のＩＦ信号と前記第２群のＩＦ信号を入力する入力手段と、第２の受信装置から供給される偏波切り換え信号に基づいて、前記入力手段により入力された前記第１群のＩＦ信号と前記第２群のＩＦ信号のいずれか一方を選択し、選択した一方のＩＦ信号を他方のＩＦ信号の周波数帯域と重なり合うように周波数変換して、前記第２の受信装置に供給するか、または前記偏波切り換え信号に基づいて、前記入力手段により入力された前記第１群のＩＦ信号と前記第２群のＩＦ信号のいずれか一方を選択し、選択した一方のＩＦ信号を第２の受信装置にそのまま供給する第１の選択手段とを備える。
【００２４】
前記第１の選択手段は、前記第１群のＩＦ信号または前記第２群のＩＦ信号を、前記第１群のＩＦ信号の周波数帯と前記第２群のＩＦ信号の周波数帯とが重なり合うように周波数変換する第２の周波数変換手段と、第２の受信装置から供給される偏波切り換え信号に基づいて、前記入力手段により入力された前記第１群のＩＦ信号と前記第２群のＩＦ信号のいずれか一方を選択して前記第２の周波数変換手段に供給するとともに周波数変換されたそのＩＦ信号を前記第２の受信装置に供給するか、または前記偏波切り換え信号に基づいて、前記入力手段により入力された前記第１群のＩＦ信号と前記第２群のＩＦ信号のいずれか一方を選択して第２の受信装置にそのまま供給する第２の選択手段とを備えることができる。
【発明の効果】
【００２５】
本発明によれば、多重化された放送を適切に受信することができる。
【発明を実施するための最良の形態】
【００２６】
以下の説明では、先ず、本発明を適用した共同受信装置および端末装置の実施例の構成の概要について説明を行い、続いて、共同受信装置および端末装置のそれぞれについて更に詳細な説明を行う。
【００２７】
図１は、本発明を適用した共同受信装置および端末装置の一実施例の構成を示すブロック図である。
【００２８】
この図において、放送衛星１０は、左旋偏波および右旋偏波の電波に異なる情報を付加することにより多重化されたＲＦ帯域の電波を地上に向けて送信するようになされている。共同受信装置１は、放送衛星１０から送信されて来る電波と、地上波テレビ電波とを受信し、その受信信号を各視聴者（各家庭）の端末装置２に分配供給するようになされている。端末装置２は、共同受信装置１より供給される信号を入力し、これを復調するようになされている。
【００２９】
共同受信装置１のパラボラアンテナ１１は、放送衛星１０から送信されて来る電波をパラボラ反射面で反射し、受信する。ＬＮＢコンバータ１２は、パラボラアンテナ１１により受信されたＲＦ帯域の電波から、左旋偏波および右旋偏波の電波を分離し、それぞれをＩＦ信号に変換し、出力するようになされている。
【００３０】
なお、後述する偏波分波器５１、ローノイズコンバータ５２、および、ローノイズコンバータ５３は、実際の構成では、ＬＮＢコンバータ１２に内蔵されているが、信号の処理の様子を詳細に説明するため、これらを別々に示してある。
【００３１】
偏波分波器５１は、パラボラアンテナ１１が受信したＲＦ帯域の電波から左旋偏波および右旋偏波の成分を分離するようになされている。ローノイズコンバータ５２および５３は、偏波分波器５１から供給される右旋偏波および左旋偏波の成分を低雑音の増幅器で増幅した後、異なる周波数帯域のＩＦ帯域の信号に変換する。
【００３２】
混合器５４は、ローノイズコンバータ５２および５３から供給される右旋偏波および左旋偏波に対応するＩＦ信号を混合するようになされている。地上波テレビ放送用アンテナ５５は、地上波テレビ放送電波（ＵＨＦおよびＶＨＦ帯域の電波）を受信するようになされている。混合器５６は、混合器５４から供給される右旋偏波成分と左旋偏波成分が混合されたＩＦ信号と、地上波テレビ放送用アンテナ５５から供給され、入力部５６ａへ入力される地上波テレビ放送信号とを混合し、ＩＦ信号ケーブルを介して出力するようになされている。また、分配器５７および５８は、混合器５６から出力される信号を、各端末装置２に分配するようになされている。
【００３３】
端末装置２の分波器５９は、各視聴者の家庭内に設置されており、分配器５８から供給される信号から、地上波テレビ放送信号と、衛星放送のＩＦ信号とを分離し、出力するようになされている。
【００３４】
選択回路６０は、分波器５９から供給される衛星放送のＩＦ信号を入力し、レシーバ６１から供給される偏波切り換え信号に応じて、右旋偏波もしくは左旋偏波のＩＦ信号を選択し、これに所定の周波数変換を施した後、レシーバ６１へ出力するようになされている。
【００３５】
レシーバ６１は、視聴者の操作に基づき、地上波テレビ放送信号、右旋偏波信号、もしくは、左旋偏波信号の何れかを選択し、これに所定の処理を施した後、テレビジョン受像機１６へ出力するようになされている。また、テレビジョン受像機１６は、レシーバ６１から供給される信号から映像音声信号を抽出し、これを表示出力するようになされている。
【００３６】
次に、以上に示した例の動作について説明する。
【００３７】
放送衛星１０から送信される、右旋偏波および左旋偏波の電波が多重化された電波は、パラボラアンテナ１１により受信され、ＬＮＢコンバータ１２に内蔵されている、偏波分波器５１により右旋偏波成分と左旋偏波成分に分離される。そして、右旋偏波成分および左旋偏波成分は、それぞれローノイズコンバータ５２および５３により増幅された後、異なる周波数のＩＦ信号に変換され、混合器５４へ出力される。
【００３８】
混合器５４は、ローノイズコンバータ５２および５３から供給される右旋偏波および左旋偏波に対応するＩＦ信号を混合し、混合器５６へ出力する。混合器５６は、地上波テレビ放送用アンテナ５５により受信され、入力部５６ａへ入力された地上波テレビ放送信号と、混合器５４から供給される右旋偏波および左旋偏波が混合されたＩＦ信号とを混合し、出力する。
【００３９】
混合器５６から出力された信号は、ＩＦ信号ケーブルにより室内に取り込まれ、分配器５７および５８により、各端末装置２に分配される。
【００４０】
分波器５９は、分配器５８から供給される信号から、地上波テレビ放送信号と、衛星放送のＩＦ信号とを分離する。そして、地上波テレビ放送信号はレシーバ６１へ出力され、衛星放送のＩＦ信号は選択回路６０へ出力される。
【００４１】
選択回路６０は、分波器５９から供給された衛星放送のＩＦ信号から、右旋偏波および左旋偏波に対応するＩＦ信号を抽出する。そして、レシーバ６１から供給される偏波切り換え信号に基づき、右旋偏波もしくは左旋偏波を選択し、これに所定の周波数変換を施した後、レシーバ６１へ出力する。
【００４２】
レシーバ６１は、視聴者の操作に基づき、地上波テレビ放送信号、右旋偏波に対応するＩＦ信号、もしくは、左旋偏波に対応するＩＦ信号のいずれかを選択し、テレビジョン受像機１６へ出力する。
【００４３】
視聴者が地上波テレビ放送信号に含まれている番組を選択した場合、レシーバ６１は、分波器５９から供給される地上波テレビ放送信号をテレビジョン受像機１６へ供給する。
【００４４】
また、視聴者が右旋偏波に含まれている番組を選択した場合、レシーバ６１は、選択回路６０へ右旋偏波を選択するための偏波切り換え信号を供給し、その結果出力される右旋偏波信号に対応するＩＦ信号を、テレビジョン受像機１６へ供給する。また、左旋偏波に含まれる番組を選択した場合は、左旋偏波を選択するための偏波切り換え信号を選択回路６０へ供給し、その結果出力される左旋偏波に対応するＩＦ信号を、テレビジョン受像機１６へ供給する。
【００４５】
以上の構成によれば、ローノイズコンバータ５２および５３により、衛星放送の右旋偏波および左旋偏波の成分を、相互に干渉しない周波数のＩＦ信号に変換し、混合器５４および５６により右旋偏波、左旋偏波、および地上波テレビ信号を単一の信号に混合しているので、室内に配置された各端末装置２に対して３種類の異なる信号を１本のケーブルにより供給することができる。その結果、例えば、地上波テレビ信号やＣＡＴＶ放送信号を各家庭に分配するシステムが既に用意されている共同住宅等において、衛星放送を新たに受信できるように設備を変更する際に、ケーブルを新たに敷設する必要がないだけでなく、これら３種類の信号をまとめて１つの信号として扱うことができることから、各信号に対して個別に分配器５７および５８を設置する必要がなくなる。
【００４６】
続いて、以上の共同受信システムのうち、共同受信装置１の構成を更に詳細に説明する。
【００４７】
図２は、図１に示す共同受信装置１の更に詳細な構成を示すブロック図である。この図において、図１における場合と同一の部分には同一の符号を付してあるので、説明を適宜省略する。
【００４８】
円偏波発生器８１は、パラボラアンテナ１１により受信された電波に含まれる、１２．２２ＧＨｚ乃至１２．６６ＧＨｚの右旋偏波、および１２．２４ＧＨｚ乃至１２．６８ＧＨｚの左旋偏波を、水平偏波および垂直偏波に変換するようになされている。偏波分波器５１は、円偏波発生器８１より供給される水平偏波および垂直偏波から、右旋偏波成分および左旋偏波成分を抽出し、右旋偏波成分をローノイズコンバータ５２へ、左旋偏波成分をローノイズコンバータ５３へ、それぞれ供給するようになされている。
【００４９】
ローノイズコンバータ５２は、偏波分波器５１より供給される右旋偏波成分を増幅する低雑音の増幅器５２ａ、１１．２５ＧＨｚの周波数（局発周波数）を有する局部発信器５２ｂ、増幅器５２ａおよび局部発信器５２ｂから供給される信号の乗算処理を行う乗算器５２ｃ、および、乗算器５２ｃの出力信号の電力を増幅するバッファ５２ｄより構成されている。
【００５０】
また、ローノイズコンバータ５３は、偏波分波器５１より供給される左旋偏波成分を増幅する低雑音の増幅器５３ａ、１０．６７５ＧＨｚの局発周波数を有する局部発信器５３ｂ、増幅器５３ａおよび局部発信器５３ｂから供給される信号の乗算処理を行う乗算器５３ｃ、および、乗算器５３ｃの出力信号の電力を増幅するバッファ５３ｄより構成されている。
【００５１】
なお、ローノイズコンバータ５２の局部発信器５２ｂの局発周波数（＝１１．２５ＧＨｚ）は、個別受信の場合（各家庭毎に、独自にパラボラアンテナを設置し、受信する場合）と同一の周波数である。一方、ローノイズコンバータ５３の局部発信器５３ｂの局発周波数（＝１０．６７５ＧＨｚ）は、局部発信器５２ｂの局発周波数と相互に干渉しない周波数が選択されている。
【００５２】
混合器５４は、右旋偏波成分のうち、９７０ＭＨｚ乃至１４１０ＭＨｚ帯域の信号のみを通過させるバンドパスフィルタ５４ａ、左旋偏波成分のうち、１５６５ＭＨｚ以上の信号を通過させるハイパスフィルタ５４ｂ、および、バンドパスフィルタ５４ａおよびハイパスフィルタ５４ｂから出力される信号を加算する加算器５４ｃより構成されている。
【００５３】
混合器５６は、地上波テレビ放送用アンテナ５５から供給される地上波テレビ放送信号を入力する入力部５６ａ、入力部５６ａに入力された信号のうち、８０６ＭＨｚ以下の信号を通過させるローパスフィルタ５６ｂ、および、混合器５４およびローパスフィルタ５６ｂから供給される信号を加算する加算器５６ｃより構成されている。
【００５４】
次に、以上の実施例の動作について説明する。
【００５５】
なお、図３は、図２に示す実施例の主要部分の信号を示す図であり、以下、この図に示す信号を参照しながら、図２の実施例の動作の説明を行う。
【００５６】
放送衛星１０から送信された、右旋偏波（１２．２２ＧＨｚ乃至１２．６６ＧＨｚ）および左旋偏波（１２．２４ＧＨｚ乃至１２．６８ＧＨｚ）が多重化された電波（図３（ａ））は、パラボラアンテナ１１により受信され、円偏波発生器８１に供給される。円偏波発生器８１は、受信電波に含まれる右旋偏波および左旋偏波を、水平偏波および垂直偏波に変換し、偏波分波器５１へ供給する。偏波分波器５１は、水平偏波および垂直偏波から右旋偏波成分（図３（ｂ））および左旋偏波成分（図３（ｃ））を分離抽出し、ローノイズコンバータ５２および５３へ、それぞれ供給する。
【００５７】
ローノイズコンバータ５２へ供給された右旋偏波成分（図３（ｂ））は、増幅器５２ａにより増幅される。増幅された信号は、乗算器５２ｃにより、局部発信器５２ｂより供給される１１．２５ＧＨｚの信号と乗算される。その結果、１２．２２ＧＨｚ乃至１２．６６ＧＨｚの周波数帯域を有する右旋偏波成分（図３（ｂ））は、９７０ＭＨｚ＝（１２．２２ＧＨｚ−１１．２５ＧＨｚ）乃至１４１０ＭＨｚ＝（１２．６６ＧＨｚ−１１．２５ＧＨｚ）のＩＦ信号に変換される。そして、バッファ５２ｄにより電力を増幅された後、出力される。
【００５８】
一方、ローノイズコンバータ５３に供給された左旋偏波成分（図３（ｃ））は、増幅器５３ａにより増幅される。増幅された信号は、乗算器５３ｃにより、局部発信器５３ｂより供給される１０．６７５ＧＨｚの信号と乗算される。その結果、１２．２４ＧＨｚ乃至１２．６８ＧＨｚの周波数帯域を有する左旋偏波成分（図３（ｃ））は、１５６５ＭＨｚ＝（１２．２４ＧＨｚ−１０．６７５）乃至２００５ＭＨｚ＝（１２．６８ＧＨｚ−１０．６７５ＧＨｚ）のＩＦ信号に変換される。そして、バッファ５３ｄにより電力を増幅された後、出力される。
【００５９】
ローノイズコンバータ５２から出力される信号は、９７０ＭＨｚ乃至１４１０ＭＨｚの通過帯域を有するバンドパスフィルタ５４ａに供給され、その結果、右旋偏波成分以外の信号が除去される。また、ローノイズコンバータ５３から出力される信号は、１５６５ＭＨｚの遮断周波数を有するハイパスフィルタ５４ｂに供給され、左旋偏波成分以外の信号が同様に除去される。そして、右旋偏波成分および左旋偏波成分は、加算器５４ｃにより加算され、混合器５６へ出力される。
【００６０】
地上波テレビ放送用アンテナ５５により受信された地上波テレビ放送信号は、入力部５６ａに入力された後、８０６ＭＨｚの遮断周波数を有するローパスフィルタ５６ｂに供給され、地上波テレビ放送信号以外の信号が除去された後、加算器５６ｃにより、混合器５４からの出力信号と加算され、その結果、ＩＦ信号（図３（ｄ））が生成される。そして、このＩＦ信号は、ＩＦ信号ケーブルを介して各端末装置２へ分配されることになる。
【００６１】
以上の構成によれば、図３（ｄ）に示すように、衛星放送の右旋偏波成分、衛星放送の左旋偏波成分、および地上波テレビ放送信号がそれぞれ干渉しない周波数に変換され、混合された後、出力されるので、１本のＩＦ信号ケーブルで信号を伝送することが可能となる。
【００６２】
次に、端末装置２の構成について詳述する。
【００６３】
図４は、図１に示す端末装置２の更に詳細な構成を示すブロック図である。以下、この図を参照して説明を行う。
【００６４】
なお、図４に示すブロック図においては、レシーバ６１およびテレビジョン受像機１６が簡略化のため省略してあり、分波器５９および選択回路６０のブロック図のみが示されている。
【００６５】
図４において、分波器５９は、入力されたＩＦ信号を、地上波テレビ放送信号と、衛星放送のＩＦ信号とに分離するようになされている。分波器５９から出力される地上波テレビ信号は、レシーバ６１へ供給される。一方、衛星放送のＩＦ信号は、増幅器１０１へ供給される。
【００６６】
増幅器１０１は、分波器５９から出力される衛星放送のＩＦ信号を増幅し、偏波切り換えスイッチ１０２へ供給する。偏波切り換えスイッチ１０２は、レシーバ６１から供給される切り換え電圧（偏波切り換え信号に相当する）が１３Ｖのときは、衛星放送のＩＦ信号から右旋偏波に対応するＩＦ信号を抽出し、偏波切り換えスイッチ１１１へ供給する。また、切り換え電圧が１８Ｖのときは、衛星放送のＩＦ信号から左旋偏波に対応するＩＦ信号を抽出し、ＩＦダウンコンバータ１２０へ供給する。
【００６７】
ＩＦダウンコンバータ１２０のバンドパスフィルタ（ＢＰＦ）１０３は、１３５０ＭＨｚ乃至２１００ＭＨｚの通過帯域を有しており、後述する第１回目の２２１２ＭＨｚの局発周波数による周波数変換において発生する、イメージ帯域（３７７７（＝１５６５＋２２１２）ＭＨｚ乃至４２１７（＝２００５＋２２１２）ＭＨｚ）の信号成分が、２２１２ＭＨｚの局発周波数で再度変換されて出力されるのを防ぐ（一般にイメージ除去と呼ばれている）ものである。また、左遷波成分以外の信号成分を除去する効果もある。
【００６８】
乗算器１０５は、２２１２ＭＨｚの局発周波数の局部発信器１０４の出力信号と、バンドパスフィルタ１０３の出力信号との乗算を行うようになされている。ローパスフィルタ（ＬＰＦ）１０６は、８００ＭＨｚの遮断周波数を有しており、乗算器１０５の出力信号から、遮断周波数以下の信号のみを出力する。増幅器１０７は、ローパスフィルタ１０６の出力信号を増幅するようになされている。      
【００６９】
乗算器１０９は、１６３７ＭＨｚの発信周波数を有する局部発信器１０８から供給される信号と、増幅器１０７から出力される信号との乗算を行うようになされている。バンドパスフィルタ１１０は、乗算器１０９から出力される信号のうち、９００ＭＨｚ乃至１５００ＭＨｚの周波数帯域を抽出し、偏波切り換えスイッチ１１１へ出力する。
【００７０】
偏波切り換えスイッチ１１１は、前述の偏波切り換えスイッチ１０２と同様に、レシーバ６１から供給される切り換え電圧が１３Ｖのときは、偏波切り換えスイッチ１０２から供給される右旋偏波に対応するＩＦ信号を選択出力し、一方、切り換え電圧が１８Ｖのときは、ＩＦダウンコンバータ１２０から供給される左旋偏波に対応するＩＦ信号を選択出力するようになされている。
【００７１】
コンデンサ１１２は、信号中に含まれる直流成分を遮断し、選択回路６０およびレシーバ６１が相互に影響を与えることを防いでいる。また、コイル１１３は、右旋偏波および左旋偏波に対応するＩＦ信号（高周波信号）が、電源部１１４に対して影響を与えることを防いでいる。電源部１１４は、レシーバ６１から供給される切り換え電圧に応じて、１３Ｖもしくは１８Ｖの電源電圧を出力するようになされている。
【００７２】
図５は、図４の実施例の主要部分の信号を示す図である。以下、この図を参照しながら図４の実施例の動作について説明する。
【００７３】
図１に示す分配器５８から供給されたＩＦ信号（図５（ａ））は、分波器５９により、地上波テレビ放送信号と、衛星放送のＩＦ信号とに分離される。そして、地上波テレビ放送信号は、分波器出力信号（図５（ｂ））としてレシーバ６１へ出力される。一方、衛星放送のＩＦ信号は、増幅器１０１へ供給され、増幅された後、偏波切り換えスイッチ１０２へ供給される。
【００７４】
偏波切り換えスイッチ１０２は、レシーバ６１から供給される切り換え電圧が１３Ｖのときは、増幅器１０１から供給される衛星放送のＩＦ信号のうち、右旋偏波に対応するＩＦ信号を抽出し、偏波切り換えスイッチ１１１へ出力する。一方、切り換え電圧が１８Ｖのときは、衛星放送のＩＦ信号のうち、左旋偏波に対応するＩＦ信号を抽出し、ＩＦダウンコンバータ１２０へ供給する。
【００７５】
ＩＦダウンコンバータ１２０のバンドパスフィルタ１０３は、偏波切り換えスイッチ１０２から供給される左旋偏波に対応するＩＦ信号（１５６５ＭＨｚ乃至２００５ＭＨｚ）のうち、１３５０ＭＨｚ乃至２１００ＭＨｚの周波数帯域の信号を通過させ、乗算器１０５へ出力する。これにより、前述したように、イメージ帯の周波数成分が出力されるのを防止する。
【００７６】
乗算器１０５は、２２１２ＭＨｚの発信周波数を有する局部発信器１０４の出力信号と、バンドパスフィルタ１０３の出力信号とを乗算し、出力する。この乗算の結果、左旋偏波のＩＦ信号の周波数帯域は、１５６５ＭＨｚ乃至２００５ＭＨｚから、２０７ＭＨｚ＝（２２１２ＭＨｚ−２００５ＭＨｚ）乃至６４７ＭＨｚ＝（２２１２ＭＨｚ−１５６５ＭＨｚ）へダウンコンバートされる。
【００７７】
ダウンコンバートされた左旋偏波のＩＦ信号（乗算器１０５の出力信号）は、８００ＭＨｚの遮断周波数を有するローパスフィルタ１０６に入力され、不要な高調波成分が除去される。そして、増幅器１０７で増幅された後、乗算器１０９へ入力される。
【００７８】
乗算器１０９は、１６３７ＭＨｚの発信周波数を有する局部発信器１０８の出力信号と、増幅器１０７の出力信号とを乗算し、出力する。この乗算の結果、増幅器１０７から供給される左旋偏波に対応するＩＦ信号の周波数帯域は、２０７ＭＨｚ乃至６４７ＭＨｚから、９９０ＭＨｚ＝（１６３７ＭＨｚ−６４７ＭＨｚ）乃至１４３０＝（１６３７ＭＨｚ−２０７ＭＨｚ）へアップコンバートされる。
【００７９】
アップコンバートされた左旋偏波に対応するＩＦ信号（乗算器１０９の出力信号）は、９００ＭＨｚ乃至１５００ＭＨｚの通過帯域を有するバンドパスフィルタ１１０へ入力され、不要な低周波成分および高周波成分が除去された後、ＩＦダウンコンバータ１２０の出力信号として、偏波切り換えスイッチ１１１へ入力される。
【００８０】
偏波切り換えスイッチ１１１は、レシーバ６１から供給される切り換え電圧が１３Ｖのときは、偏波切り換えスイッチ１０２から供給される信号（右旋偏波に対応するＩＦ信号）を選択し、出力する（図５（ｃ））。一方、切り換え電圧が１８Ｖのときは、ＩＦダウンコンバータ１２０より供給される信号（左旋偏波に対応するＩＦ信号）を選択し、出力する（図５（ｄ））。
【００８１】
偏波切り換えスイッチ１１１から出力された信号は、コンデンサ１１２を介してレシーバ６１へ供給される。
【００８２】
以上の構成によれば、視聴者がレシーバ６１により所定の操作を行うことで、地上波テレビ放送、衛星放送の右旋偏波、もしくは、衛星放送の左旋偏波に含まれる番組を選択し、これを復調することが可能となる。
【００８３】
図６（ａ）は、図４に示すＩＦダウンコンバータ１２０の局部発信器１０４，１０８のそれぞれの出力２２１２ＭＨｚと１６３７ＭＨｚを、周波数軸（横軸）上にプロットしたものである。これらの異なる周波数の信号が相互に変調しあうと、相互変調歪みを生ずることになる。
【００８４】
図６（ｂ）は、ＩＦダウンコンバータ１２０によりダウンコンバートされた後の左旋偏波成分（９９０ＭＨｚ乃至１４３０ＭＨｚ）と相互変調歪みの関係を示している。相互変調歪みは、各々の信号の周波数の整数倍の和と差の周波数成分からなる。従って、２つの局発周波数１６３７ＭＨｚと２２１２ＭＨｚとの差の周波数である５７５ＭＨｚの歪みが生ずる。また、この５７５ＭＨｚと１６３７ＭＨｚの局部発信周波数が相互に変調した結果、その差の周波数である１０６２ＭＨｚの歪み成分が生ずる。更に、前述の５７５ＭＨｚの第２次高調波である１１５０ＭＨｚの歪み成分が生ずることになる。
【００８５】
これらの歪み成分は、左旋偏波成分と重畳されることになる。従って、放送番組に影響を与えないようにするため、局部発信器１０４，１０８の局発周波数は、これらの相互変調歪み成分（１１５０ＭＨｚまたは１０６２ＭＨｚ）が、図６（ｂ）に示すように、左旋偏波成分のチャンネル間（１１３０ＭＨｚのチャンネルと１１６０ＭＨｚのチャンネルの間、または、１０２０ＭＨｚのチャンネルと１０８０ＭＨｚのチャンネルの間）に位置するように設定することが望ましい。
【００８６】
以上に示したように、端末装置２において、２つの異なる局発周波数を用いて信号の周波数変換を行う場合、局発周波数の設定を適切に行うことにより、相互変調歪みを放送信号のチャンネル間に位置させることができる。その結果、相互変調歪みが放送信号に与える影響を抑制することが可能となる。
【００８７】
ところで、５７５ＭＨｚの相互変調歪は、ＬＮＢにおいては、フィルタ５４ａで除去することができる。また、選択回路６０においては、フィルタ１０３で除去することができるばかりでなく、増幅器１０１が相互変調歪に対して増幅利得の逆数の減衰器として機能するため、その影響は小さいものとなる。
【００８８】
なお、図４に示すＩＦダウンコンバータ１２０においては、２２１２ＭＨｚの局発周波数でダウンコンバートし、１６３７ＭＨｚの局発周波数で逆にアップコンバートし、結果として５７５ＭＨｚのダウンコンバートを行っている。このように、２回に分けて信号の周波数変換を行う方法をダブルコンバージョンと呼ぶが、これは、１回で信号の周波数を変換するシングルコンバージョンに比べて以下の利点を有する。
【００８９】
（ａ）シングルコンバージョンでは５７５ＭＨｚの局発周波数を用いることになるが、この周波数は地上波テレビ放送の周波数帯域内に位置し、また、この信号のレベルは約＋１０ｄＢｍＷ（デシベルミリワット）と大きいため、放送信号に影響を与えることが考えられる。一方ダブルコンバージョンでは、２つの局発周波数（２２１２ＭＨｚおよび１６３７ＭＨｚ）は、得られる左旋偏波信号の周波数帯域（９９０ＭＨｚ乃至１４３０ＭＨｚ）の帯域外であるので、放送信号に影響を与えない。
【００９０】
（ｂ）シングルコンバージョンの場合は、基本信号の右旋偏波成分を、左旋偏波成分に対して３０ｄＢ以上抑制する必要があるため、１４１０ＭＨｚ乃至１５６５ＭＨｚの間に遮断周波数を有する急峻な特性のハイパスフィルタをＩＦダウンコンバータ１２０の初段に挿入する必要がある。しかしながら、この周波数帯域において急峻なハイパスフィルタを低コストで構成することは困難である。一方、ダブルコンバージョンでは、複数のフィルタに分けて構成することが可能であることから、各フィルタは余り急峻な特性である必要がない。
【００９１】
以上の実施例では、右旋偏波および左旋偏波により多重化された衛星放送電波を用いたが、例えば、水平偏波および垂直偏波により多重化された衛星放送電波を用いてもよいことはもちろんである。
【００９２】
また、図４に示す選択回路６０では、ＩＦダウンコンバータ１２０を設け、左旋偏波の周波数変換を行うようにした。しかしながら、レシーバ６１の入力周波数帯域を、左旋偏波の周波数帯域（１５６５ＭＨｚ乃至２００５ＭＨｚ）に対応するようにすれば、このＩＦダウンコンバータ１２０を省略することができる。
【００９３】
図７は、本発明の受信装置および端末装置の他の実施例の構成を示すブロック図である。この実施例では、地上波テレビ放送を含むＣＡＴＶ(Cable TeleVision；ケーブルテレビ)放送が受信できるようになされている。
【００９４】
なお、図７において、図１における場合と同一の部分には同一の符号が付してあるので、説明を適宜省略する。
【００９５】
図７において、混合器５６は、混合器５４より供給される衛星放送のＩＦ信号と、入力部５６ａに接続されている図示しないケーブルから供給されるＣＡＴＶ放送信号とを混合し、出力するようになされている。また、ローノイズコンバータ５２および５３は、右旋偏波のＩＦ信号、左旋偏波のＩＦ信号、およびＣＡＴＶ放送信号が相互に干渉しないように周波数を変換するようになされている。
【００９６】
また、分波器５９は、分配器５８から供給されるＩＦ信号から、衛星放送のＩＦ信号、およびＣＡＴＶ放送信号を分離する。そして、衛星放送のＩＦ信号を選択回路６０へ供給し、ＣＡＴＶ放送信号をレシーバ６１へ供給する。
【００９７】
その他の構成は図１における場合と同様である。
【００９８】
以上の実施例によれば、多重化された衛星放送の他、ＣＡＴＶ放送を受信し、これらを１本のＩＦ信号ケーブルで各端末装置２へ分配することができる。
【００９９】
なお、選択回路６０は、レシーバ６１に内蔵させるようにすることもできる。
【図面の簡単な説明】
【０１００】
【図１】本発明の受信装置および端末装置の一実施の構成を示すブロック図である。
【図２】図１に示す受信装置の更に詳細な構成例を示すブロック図である。
【図３】図２に示す実施例の主要部分の信号を示す図である。
【図４】図１に示す端末装置の更に詳細な構成例を示すブロック図である。
【図５】図４に示す実施例の主要部分の信号を示す図である。
【図６】ＩＦダウンコンバータにおいて発生する相互変調歪みを説明する図である。
【図７】本発明の受信装置および端末装置の他の実施例の構成を示すブロック図である。
【図８】従来の受信装置および端末装置の構成例を示すブロック図である。
【図９】従来の受信装置および端末装置の他の構成例を示すブロック図である。
【符号の説明】
【０１０１】
１１  パラボラアンテナ，  ５１  偏波分波器，  ５２，５３  ローノイズコンバータ，  ５４  混合器，  ５５  地上波テレビ放送用アンテナ，  ５６  混合器，  ５６ａ  入力部，  １０１  増幅器，  １０２  偏波切り換えスイッチ，  １１１  偏波切り換えスイッチ，  １２０  ＩＦダウンコンバータ
【図１】
2006148963.tif 000003
【図２】
2006148963.tif 000004
【図３】
2006148963.tif 000005
【図４】
2006148963.tif 000006
【図５】
2006148963.tif 000007
【図６】
2006148963.tif 000008
【図７】
2006148963.tif 000009
【図８】
2006148963.tif 000010
【図９】
2006148963.tif 000011